(57)【特許請求の範囲】
【請求項１】
ネットワークに接続され、プラントを監視する複数のプラント監視計算機を有するプラント監視計算機システムであって、
上記各プラント監視計算機は、
上記プラントを監視するための処理を行い、処理結果をメモリに保存する第１のソフトウェア、
上記ネットワークに接続された他のプラント監視計算機との間で健全性確認パケットの送受信を行う第２のソフトウェア、
及び上記他のプラント監視計算機の上記第１のソフトウェアと同じソフトウェアである第３のソフトウェアを備え、
上記健全性確認パケットは、上記第１のソフトウェアが行った処理を特定する情報を含み、
第１のプラント監視計算機は、上記第２のソフトウェアにより、定周期で上記健全性確認パケットを送信し、
第２のプラント監視計算機は、上記第１のプラント監視計算機から送信された上記健全性確認パケットを受信し、この受信した上記健全性確認パケットに含まれる情報によって特定される上記第３のソフトウェアの処理を実行するとともに、
上記健全性確認パケットを所定時間内に受信しない場合には、上記健全性確認パケットに含まれる情報によることなく、上記第３のソフトウェアの処理を実行することを特徴とするプラント監視計算機システム。
【請求項２】
上記ネットワークは、ＬＡＮであることを特徴とする請求項１記載のプラント監視計算機システム。
【請求項３】
上記ネットワークは、制御バスであることを特徴とする請求項１記載のプラント監視計算機システム。
【請求項４】
上記ネットワークに接続された保守装置を備え、
上記保守装置には、上記第１のプラント監視計算機の送信する健全性確認パケットを受信する第２のソフトウェアが実装され、
この第２のソフトウェアにより受信された上記健全性確認パケットにより、上記第１のプラント監視計算機の状態を確認することを特徴とする請求項１〜請求項３のいずれかに記載のプラント監視計算機システム。
【請求項５】
上記保守装置には、上記第１のソフトウェアが実装されていることを特徴とする請求項４記載のプラント監視計算機システム。
【請求項６】
上記保守装置は、自身に実装されている上記第１のソフトウェアが改造された場合に、この改造された第１のソフトウェアを試験するように構成されていることを特徴とする請求項５記載のプラント監視計算機システム。
【請求項７】
ネットワークに接続され、プラントを監視するプラント監視計算機であって、
上記プラントを監視するための処理を行い、処理結果をメモリに保存する第１のソフトウェア、
上記ネットワークに接続された他のプラント監視計算機に定周期で健全性確認パケットを送信するとともに、上記他のプラント監視計算機から送信された健全性確認パケットを受信する第２のソフトウェア、
及び上記他のプラント監視計算機の上記第１のソフトウェアと同じソフトウェアである第３のソフトウェアを備え、
上記健全性確認パケットは、上記第１のソフトウェアが行った処理を特定する情報を含み、
上記第３のソフトウェアは、上記第２のソフトウェアによって受信した上記健全性確認パケットに含まれる情報によって特定される処理を実行するとともに、
上記健全性確認パケットを所定時間内に受信しない場合には、上記健全性確認パケットに含まれる情報によることなく、継続して処理を実行することを特徴とするプラント監視計算機。
【発明の詳細な説明】
【技術分野】
【０００１】
この発明は、プラント監視システムを構成する計算機の停止時に他の計算機に処理を継続して行わせるようにしたプラント監視計算機システム及びプラント監視計算機に関するものである。
【背景技術】
【０００２】
従来の計算機によって構成された監視システムにおいては、保守点検のために、監視制御システムと監視システム保守装置を備えており、内部、または遠隔地からの保守要求に応じて、監視システム内の保守装置を動作させることで、監視システムの保守情報を取得し、プラントの状態を取得していた。その結果、計算機の停止が必要と判断された場合は、計算機を停止して点検を実施する。このとき、停止した計算機の機能は喪失することが多かった。
【先行技術文献】
【特許文献】
【０００３】
【特許文献１】特開２００２−１６９６１０号公報（第４〜１０頁、図１）
【発明の概要】
【発明が解決しようとする課題】
【０００４】
従来の監視システム計算機は、保守確認を実施した後、計算機の停止による点検が必要となったとき、あらかじめ停止する計算機のバックアップ計算機を事前に用意して、点検に備える必要があった。
また、バックアップ計算機が用意できない場合は、事前に計算機の停止を考慮した保守計画を検討する必要があった。
また、不慮の計算機故障による監視機能停止に備えて、同様に事前にバックアップ計算機を設計して導入する必要があり、手間やコストかかるという問題点があった。
【０００５】
この発明は、上述のような課題を解決するためになされたものであり、二重系を構成することなく、プラント監視計算機の停止が発生した場合に、停止した計算機の機能を、別の計算機がスムーズに引き継ぐようにしたプラント監視計算機システム及びプラント監視計算機を得ることを目的とする。
【課題を解決するための手段】
【０００６】
この発明に係わるプラント監視計算機システムにおいては、ネットワークに接続され、プラントを監視する複数のプラント監視計算機を有するプラント監視計算機システムであって、各プラント監視計算機は、プラントを監視するための処理を行い、処理結果をメモリに保存する第１のソフトウェア、ネットワークに接続された他のプラント監視計算機との間で健全性確認パケットの送受信を行う第２のソフトウェア、及び他のプラント監視計算機の第１のソフトウェアと同じソフトウェアである第３のソフトウェアを備え、健全性確認パケットは、第１のソフトウェアが行った処理を特定する情報を含み、第１のプラント監視計算機は、第２のソフトウェアにより、定周期で健全性確認パケットを送信し、第２のプラント監視計算機は、第１のプラント監視計算機から送信された健全性確認パケットを受信し、この受信した健全性確認パケットに含まれる情報によって特定される第３のソフトウェアの処理を実行するとともに、健全性確認パケットを所定時間内に受信しない場合には、健全性確認パケットに含まれる情報によることなく、第３のソフトウェアの処理を実行するものである。
【発明の効果】
【０００７】
この発明は、以上説明したように、ネットワークに接続され、プラントを監視する複数のプラント監視計算機を有するプラント監視計算機システムであって、各プラント監視計算機は、プラントを監視するための処理を行い、処理結果をメモリに保存する第１のソフトウェア、ネットワークに接続された他のプラント監視計算機との間で健全性確認パケットの送受信を行う第２のソフトウェア、及び他のプラント監視計算機の第１のソフトウェアと同じソフトウェアである第３のソフトウェアを備え、健全性確認パケットは、第１のソフトウェアが行った処理を特定する情報を含み、第１のプラント監視計算機は、第２のソフトウェアにより、定周期で健全性確認パケットを送信し、第２のプラント監視計算機は、第１のプラント監視計算機から送信された健全性確認パケットを受信し、この受信した健全性確認パケットに含まれる情報によって特定される第３のソフトウェアの処理を実行するとともに、健全性確認パケットを所定時間内に受信しない場合には、健全性確認パケットに含まれる情報によることなく、第３のソフトウェアの処理を実行するので、二重系を構成することなく、プラント監視計算機の停止が発生した場合に、停止したプラント監視計算機の処理を、別のプラント監視計算機がスムーズに引き継ぐことができる。
【図面の簡単な説明】
【０００８】
【図１】この発明の実施の形態１によるプラント監視計算機システムを示す構成図である。
【図２】この発明の実施の形態１によるプラント監視計算機システムの健全性確認パケットの内容を示す図である。
【図３】この発明の実施の形態１によるプラント監視計算機システムの健全性確認Ｓ／Ｗの送信処理を示すフローチャートである。
【図４】この発明の実施の形態１によるプラント監視計算機システムの健全性確認Ｓ／Ｗの受信処理を示すフローチャートである。
【図５】この発明の実施の形態２によるプラント監視計算機システムを示す構成図である。
【図６】この発明の実施の形態３によるプラント監視計算機システムを示す構成図である。
【図７】この発明の実施の形態４によるプラント監視計算機システムを示す構成図である。
【図８】この発明の実施の形態５によるプラント監視計算機システムを示す構成図である。
【発明を実施するための形態】
【０００９】
実施の形態１．
以下、この発明の実施の形態１を図に基づいて説明する。
図１は、この発明の実施の形態１によるプラント監視計算機システムを示す構成図である。
図１において、プラント監視計算機Ａ１、プラント監視計算機Ｂ８及びプラント監視計算機Ｃ１５は、ＬＡＮ２２を介して接続されている。
プラント監視計算機Ａ１は、後述する健全性確認Ｓ／Ｗ（ソフトウェア）２（第２のソフトウェア）と、自身のプラント監視計算機Ａ１のプラント監視を実行させるためのプラント監視計算機Ａ用Ｓ／Ｗ４（第１のソフトウェア）と、プラント監視計算機Ａ用Ｓ／Ｗ４の処理内容を記録する処理実行保存メモリ３と、自身のプラント監視計算機Ａ１以外にＬＡＮ２２に接続されている他のプラント監視計算機Ｂ８の処理を行うプラント監視計算機Ｂ用Ｓ／Ｗ６（第３のソフトウェア）と、プラント監視計算機Ｃ１５の処理を行うプラント監視計算機Ｃ用Ｓ／Ｗ７と、それらのＳ／Ｗを制御する実行制御Ｓ／Ｗ５とを備えている。
プラント監視計算機Ａ１、プラント監視計算機Ｂ８及びプラント監視計算機Ｃ１５には、制御バスを介して、コントローラまたはデータ収集装置から、それぞれのプラント監視に必要なプラントデータが入力され、この入力されたプラントデータに基づき、それぞれ対象とするプラント機器の監視を行うようになっている。
【００１０】
プラント監視計算機Ａ１が、実際に処理を行っているプラント監視計算機Ａ用Ｓ／Ｗ４は、処理実行保存メモリ３に一定の処理単位で、実行した処理を記録する機能を備えている。
処理実行保存メモリ３がないプラント監視計算機Ｂ用Ｓ／Ｗ６やプラント監視計算機Ｃ用Ｓ／Ｗ７は、実行制御Ｓ／Ｗ５からの通知を受けて動作するものであり、処理実行保存メモリ３への処理の記録は行わない。
【００１１】
プラント監視計算機Ｂ８は、プラント監視計算機Ａ１と同様に、次のように構成されている。
プラント監視計算機Ｂ８は、健全性確認Ｓ／Ｗ９と、自身のプラント監視計算機Ｂ８のプラント監視を実行させるためのプラント監視計算機Ｂ用Ｓ／Ｗ１１（第１のソフトウェア）と、プラント監視計算機Ｂ用Ｓ／Ｗ１１の処理内容を記録する処理実行保存メモリ１０と、自身のプラント監視計算機Ｂ８以外にＬＡＮ２２に接続されている他のプラント監視計算機Ａ１の処理を行うプラント監視計算機Ａ用Ｓ／Ｗ１３（第３のソフトウェア）と、プラント監視計算機Ｃ１５の処理を行うプラント監視計算機Ｃ用Ｓ／Ｗ１４と、それらのＳ／Ｗを制御する実行制御Ｓ／Ｗ１２とを備えている。
【００１２】
プラント監視計算機Ｃ１５は、プラント監視計算機Ａ１と同様に、次のように構成されている。
プラント監視計算機Ｃ１５は、健全性確認Ｓ／Ｗ１６と、自身のプラント監視計算機Ｃ１５のプラント監視を実行させるためのプラント監視計算機Ｃ用Ｓ／Ｗ１８と、プラント監視計算機Ｃ用Ｓ／Ｗ１８の処理内容を記録する処理実行保存メモリ１７と、自身のプラント監視計算機Ｃ１５以外にＬＡＮ２２に接続されている他のプラント監視計算機Ａ１の処理を行うプラント監視計算機Ａ用Ｓ／Ｗ２０と、プラント監視計算機Ｂ８の処理を行うプラント監視計算機Ｂ用Ｓ／Ｗ２１と、それらのＳ／Ｗを制御する実行制御Ｓ／Ｗ１９とを備えている。
【００１３】
プラント監視計算機Ａ１の健全性確認Ｓ／Ｗ２は、一定時間毎にＬＡＮ２２経由でプラント監視計算機Ｂ８、プラント監視計算機Ｃ１５に対して、プラント監視計算機Ａ１から図２で後述する健全性確認パケットＡ２３を送信し、プラント監視計算機Ｂ８に実装される健全性確認Ｓ／Ｗ９、プラント監視計算機Ｃ１５に実装される健全性確認Ｓ／Ｗ１６は、健全性確認パケットＡ２３の受信処理を行うようになっている。
また、プラント監視計算機Ｂ８の健全性確認Ｓ／Ｗ９は、健全性確認パケットＢ２４を、プラント監視計算機Ｃ１５の健全性確認Ｓ／Ｗ１６は、健全性確認パケットＣ２５をそれぞれ一定時間ごとにＬＡＮ２２経由で他のプラント監視計算機に送信し、他のプラント監視計算機の健全性確認Ｓ／Ｗは、この健全性確認パケットを受信処理するようになっている。
【００１４】
図２は、この発明の実施の形態１によるプラント監視計算機システムの健全性確認パケットの内容を示す図である。
図２において、健全性確認パケットＡ２３の内容を示しており、項目３１として自計算機名称、パケット送信時間、自計算機状態、処理概要（処理を特定する情報）などの項目名が格納されている。また、内容３２に、項目３１に対応する実際の各内容が格納され、処理概要としては、プラント監視計算機Ａ用Ｓ／Ｗの実行した処理と、その処理に用いられたプラントデータが格納されている。
内容３２に格納された処理概要に該当する処理Ａは、プラントデータ取得の処理であり、処理Ｂは、プラントデータ計算・その１の処理であり、処理Ｃは、プラントデータ計算・その２の処理であり、処理Ｄは、プラントデータ表示・その１の処理である。
【００１５】
図３は、この発明の実施の形態１によるプラント監視計算機システムの健全性確認Ｓ／Ｗの送信処理を示すフローチャートである。
図４は、この発明の実施の形態１によるプラント監視計算機システムの健全性確認Ｓ／Ｗの受信処理を示すフローチャートである。
【００１６】
次に、動作について説明する。
通常、プラント監視計算機Ａ１は、プラント監視計算機Ａ用Ｓ／Ｗ４を実行している。同様にプラント監視計算機Ｂ８は、プラント監視計算機Ｂ用Ｓ／Ｗ１１を、プラント監視計算機Ｃ１５は、プラント監視計算機Ｃ用Ｓ／Ｗ１８をそれぞれ実行している。
また、プラント監視計算機Ａ１、プラント監視計算機Ｂ８、プラント監視計算機Ｃ１５の健全性を確認するために、プラント監視計算機Ａ１から健全性確認パケットＡ２３を、プラント監視計算機Ｂ８から健全性確認パケットＢ２４を、プラント監視計算機Ｃ１５から健全性確認パケットＣ２５を、それぞれＬＡＮ２２を介して送信し、他のプラント監視計算機は、健全性確認Ｓ／Ｗによって健全性確認パケットを受信する。
【００１７】
次に、健全性確認Ｓ／Ｗ２のパケット送信処理を図３のフローチャート従って説明する。
なお、図３による説明では、プラント監視計算機Ａ１の健全性確認Ｓ／Ｗ２の処理について説明するが、プラント監視計算機Ｂ８の健全性確認Ｓ／Ｗ９、プラント監視計算機Ｃ１５の健全性確認Ｓ／Ｗ１６の処理についても同様である。
図３で、健全性確認Ｓ／Ｗ２は、一定時間毎に送信処理を行うので、健全性確認パケット送信処理を開始（Ｓ５１）後、健全性確認パケットＡ２３送信実行の時間に到達するまで処理を待つ（Ｓ５２）。
並行して、プラント監視計算機Ａ１のプラント監視計算機Ａ用Ｓ／Ｗ４は、図２に示す処理Ａを実行し（Ｓ５６）、処理Ａを実行したこと及びこの処理Ａに用いたプラントデータを処理実行保存メモリ３に保存する（Ｓ５７）。次いで、図２に示す処理Ｂを実行し（Ｓ５８）、処理Ｂを実行したこと及びこの処理Ｂに用いたプラントデータを処理実行保存メモリ３に保存する（Ｓ５９）。さらに、図２に示す処理Ｃを実行する（Ｓ６０）、という具合に処理を実行していく。
【００１８】
健全性確認パケット送信時刻に到達した場合は（Ｓ５２）、図２に示すような、自計算機状態、パケット送信時間、および処理実行保存メモリ３に保存した処理概要を取得して、健全性確認パケットＡ２３を作成する（Ｓ５３）。
その後、処理実行保存メモリ３の内容をクリアして（Ｓ５４）、作成した健全性確認パケットＡ３２を送信する（Ｓ５５）。
【００１９】
次に、健全性確認Ｓ／Ｗ２の受信処理を図４のフローチャートに従って説明する。
この説明は、プラント監視計算機Ｂ８の健全性確認Ｓ／Ｗ９の受信処理について説明するが、プラント監視計算機Ａ１の健全性確認Ｓ／Ｗ２、プラント監視計算機Ｃ１５の健全性確認Ｓ／Ｗ１６の受信処理についても同様である。
図４で、健全性確認パケット受信処理を開始（Ｓ６１）後、健全性確認パケットＡ２３を受信するまでは処理を待つ（Ｓ６２）。一定時間内に健全性確認パケットＡ２３を受信した場合、どのプラント監視計算機から受信したかを判断し（Ｓ６４）、実行制御Ｓ／Ｗ１２に健全性確認パケットＡ２３の内容を通知する。
実行制御Ｓ／Ｗ１２は、健全性確認パケットＡ２３の処理概要を解析し（Ｓ６９）、該当するプラント監視計算機Ａ用Ｓ／Ｗ１３に処理を実行するように通知する（Ｓ６５）。
プラント監視計算機Ａ用Ｓ／Ｗ１３は、図２に示す健全性確認パケットＡ２３の処理概要の中のプラント監視計算機Ａ用Ｓ／Ｗの処理Ａを、次いで、健全性確認パケットＡ２３の処理概要の中のプラント監視計算機Ａ用Ｓ／Ｗの処理Ｂを、次いで、プラント監視計算機Ａ用Ｓ／Ｗの処理Ｃを順次、実行する（Ｓ６６）。このとき、各処理に用いるプラントデータは、健全性確認パケットＡ２３の処理概要に含まれており、処理実行後のデータは、内部メモリに記憶され、次の処理に利用される。なお、内部メモリには、処理の始めには、初期状態の値が入っている。
つまり、プラント監視計算機Ｂ８のプラント監視計算機Ａ用Ｓ／Ｗ１３や、プラント監視計算機Ｃ用Ｓ／Ｗ１４は、プラント監視計算機Ａ１やプラント監視計算機Ｃ１５から健全性確認パケットを受信したときのみ実行されるようになっている。
【００２０】
また、Ｓ６３で、一定時間、健全性確認パケットＡ２３の受信が確認できなかった場合は、プラント監視計算機Ａ１が停止したものと判断して、実行制御Ｓ／Ｗ１２に通知する（Ｓ６７）。
実行制御Ｓ／Ｗ１２は、その通知を受けて、プラント監視計算機Ｂ８のプラント監視計算機Ａ用Ｓ／Ｗ１３を実行するよう制御する。これによって、プラント監視計算機Ａ用Ｓ／Ｗ１３は、内部メモリに記憶されたデータを用いて、処理Ｃの次には処理Ｄから始めるように継続した処理を開始し、データを入出力して、処理概要を処理実行保存メモリ１０に書き込む（Ｓ６８）。これらの処理に用いるプラントデータは、制御バスを介して、コントローラまたはデータ収集装置から取得する。
このようにすることで、プラント監視計算機Ａ１の故障に対して、予めバックアップ設備や二重系装置を組み入れなくても、プラント監視計算機Ａ１の処理が継続され、システムの運用継続が可能となり、高い信頼性が確保できる。
【００２１】
実施の形態１によれば、健全性確認パケットをプラント監視計算機が相互に送信し、故障や点検のためにプラント監視計算機の停止が発生したときは、他のプラント監視計算機が継続処理を行うようにしたので、予めバックアップ設備や二重系装置を組み入れなくても、システムの運用継続が可能となり、高い信頼性を確保することができる。
また、停止させるプラント監視計算機以外の計算機にＳ／Ｗシステムを移行してプラント監視を継続する場合に比べて、プラント監視計算機の停止時間が短くなることで、プラント監視計算機が監視しているプロセス入出力装置などの機器の保守・点検もスムーズに実施できる。
【００２２】
実施の形態２．
図５は、この発明の実施の形態２によるプラント監視計算機システムを示す構成図である。
図５において、１〜２１、２３〜２５は図１におけるものと同一のものである。図５では、各プラント監視計算機は、制御バス７１を介して接続されている。
【００２３】
実施の形態１では、健全性確認パケットＡ２３を送受信する伝送路を、ＬＡＮ２２にする場合について述べたが、実施の形態２は、図５に示すように、健全性確認パケットＡ２３、健全性確認パケットＢ２４、健全性確認パケットＣ２５を送受信する伝送路を制御バス７１とした。
このように構成した場合でも、実施の形態１と同様の効果が得られる。
【００２４】
実施の形態３．
図６は、この発明の実施の形態３によるプラント監視計算機システムを示す構成図である。
図６において、１〜２５は図１におけるものと同一のものである。図６では、健全性確認パケットを受信する健全性確認Ｓ／Ｗ８２（第２のソフトウェア）を有する保守装置８１が、ＬＡＮ２２に接続されている。
【００２５】
実施の形態１では、ＬＡＮ２２上に流れる健全性確認パケットＡ２３の内容にしたがって処理をする場合について述べたが、実施の形態３は、図６に示すように、ＬＡＮ２２に健全性確認パケットＡ２３を受信する保守装置８１を接続している。
このように、保守装置８１をＬＡＮ２２に接続し、健全性確認パケットＡ２３を受信させることで、プラント監視計算機Ａ１の状態を、保守装置８１を通して確認することができ、保守の効率を高めることができる。
【００２６】
実施の形態４．
図７は、この発明の実施の形態４によるプラント監視計算機システムを示す構成図である。
図７において、１〜２５、８１は図６におけるものと同一のものである。図７では、保守装置８１に、健全性確認パケットを受信する健全性確認Ｓ／Ｗ８２と、実行制御Ｓ／Ｗ８３と、プラント監視計算機Ａ用Ｓ／Ｗ８４（第１のソフトウェア）が実装されている。
【００２７】
実施の形態３では、保守装置８１をＬＡＮ２２に接続して、保守の効率を高める場合について述べたが、実施の形態４は、図７に示すように保守装置８１内に、健全性確認Ｓ／Ｗ８２、実行制御Ｓ／Ｗ８３、プラント監視計算機Ａ用Ｓ／Ｗ８４を実装させたものである。
このように構成することにより、保守装置８１内でプラント監視計算機Ａ１の動作の模擬が可能となるため、Ｓ／Ｗ処理に問題が発生した場合に、その処理の内容を把握することができ、解析性が向上する。
【００２８】
実施の形態５．
図８は、この発明の実施の形態５によるプラント監視計算機システムを示す構成図である。
図８において、１〜２５、８１〜８３は図７におけるものと同一のものである。図８では、プラント監視計算機Ａ用Ｓ／Ｗが改造されたときの、改造部の試験を行うようにしたものである。実行制御Ｓ／Ｗ８３によって制御されるプラント監視計算機Ａ’用Ｓ／Ｗ８５は、このプラント監視計算機Ａ’用Ｓ／Ｗ８５の改造部である新規Ｓ／Ｗ８６を有し、この新規Ｓ／Ｗ８６を試験した試験結果８７を出力するようにした。
【００２９】
実施の形態４では、保守装置８１内にプラント監視計算機装置Ａ１と同じプラント監視計算機Ａ用Ｓ／Ｗ８４を実装して解析性を高める場合について述べたが、実施の形態５は、図８に示すように、保守装置８１内に、Ｓ／Ｗの改造部である新規Ｓ／Ｗ８６を追加したプラント監視計算機Ａ’用Ｓ／Ｗ８５を実装している。
そしＴげ、追加した新規Ｓ／Ｗ８６の試験を、実際のデータを用いて行い、試験結果８７を出力するようにしたので、試験結果８７を通して新規Ｓ／Ｗ８６の処理状況を確認することができ、Ｓ／Ｗの品質向上に効果を発揮する。
【符号の説明】
【００３０】
１  プラント監視計算機Ａ
２  健全性確認Ｓ／Ｗ
３  処理実行保存メモリ
４  プラント監視計算機Ａ用Ｓ／Ｗ
５  実行制御Ｓ／Ｗ
６  プラント監視計算機Ｂ用Ｓ／Ｗ
７  プラント監視計算機Ｃ用Ｓ／Ｗ
８  プラント監視計算機Ｂ
９  健全性確認Ｓ／Ｗ
１０  処理実行保存メモリ
１１  プラント監視計算機Ｂ用Ｓ／Ｗ
１２  実行制御Ｓ／Ｗ
１３  プラント監視計算機Ａ用Ｓ／Ｗ
１４  プラント監視計算機Ｃ用Ｓ／Ｗ
１５  プラント監視計算機Ｃ
１６  健全性確認Ｓ／Ｗ
１７  処理実行保存メモリ
１８  プラント監視計算機Ｃ用Ｓ／Ｗ
１９  実行制御Ｓ／Ｗ
２０  プラント監視計算機Ａ用Ｓ／Ｗ
２１  プラント監視計算機Ｂ用Ｓ／Ｗ
２２  ＬＡＮ
２３  健全性確認パケットＡ
２４  健全性確認パケットＢ
２５  健全性確認パケットＣ
７１  制御バス
８１  保守装置
８２  健全性確認Ｓ／Ｗ
８３  実行制御Ｓ／Ｗ
８４  プラント監視計算機Ａ用Ｓ／Ｗ
８５  プラント監視計算機Ａ’用Ｓ／Ｗ
８６  新規Ｓ／Ｗ
８７  試験結果
【図１】
0005421941.tif 000002
【図２】
0005421941.tif 000003
【図３】
0005421941.tif 000004
【図４】
0005421941.tif 000005
【図５】
0005421941.tif 000006
【図６】
0005421941.tif 000007
【図７】
0005421941.tif 000008
【図８】
0005421941.tif 000009